(57)【要約】【課題】測定精度を向上し得る構造を備えた電気的測定用カートリッジを提供すること。【解決手段】沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを提供する。本技術に係る電気的測定用カートリッジは、生体試料の状態を測定するための測定電極部と、沈降性成分の沈降の程度を測定する沈降測定電極部と、を備え、かつ、これらの電極部が異なる高さ位置に固定されているため、沈降性成分の沈降による測定結果への影響を排除することができ、測定精度を向上し得る。【選択図】図１
2016024161.tif 000002
【特許請求の範囲】
【請求項１】
沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジ。
【請求項２】
前記測定電極部と前記沈降測定電極部とは、互いの電気力線が干渉しない程度に離間して固定された請求項１記載の電気的測定用カートリッジ。
【請求項３】
前記沈降測定電極部は、前記生体試料保持部の前記測定電極部より低い位置に固定された請求項１記載の電気的測定用カートリッジ。
【請求項４】
前記沈降測定電極部は、前記生体試料保持部の測定時に底部となる部分からの累積堆積分率が前記沈降性成分の体積分率以上となる位置より下側に位置する請求項３記載の電気的測定用カートリッジ。
【請求項５】
前記測定電極部は、前記生体試料保持部の測定時に底部となる部分からの累積堆積分率が前記沈降性成分の体積分率以上となる位置より上側に位置する請求項１記載の電気的測定用カートリッジ。
【請求項６】
前記生体試料保持部は、樹脂からなる請求項１記載の電気的測定用カートリッジ。
【請求項７】
前記樹脂は、ポリプロピレン、ポリスチレン、アクリル、及びポリサルホンから選ばれる一種以上の樹脂である請求項６記載の電気的測定用カートリッジ。
【請求項８】
前記生体試料は、血液試料である請求項１記載の電気的測定用カートリッジ。
【請求項９】
血液凝固状態の測定用に用いられる請求項８記載の電気的測定用カートリッジ。
【請求項１０】
沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、
を少なくとも備える生体試料用電気的測定装置。
【請求項１１】
前記第２測定部から得られる測定結果を用いて、前記第１測定部から得られる測定結果の補正を行う補正部を備える請求項１０記載の生体試料用電気的測定装置。
【請求項１２】
前記第２測定部から得られる測定結果を用いて、前記第１測定部から得られる測定結果の選別を行う結果選別部を備える請求項１０記載の生体試料用電気的測定装置。
【請求項１３】
前記第１測定部における測定と、前記第２測定部における測定とは、タイミングをずらして行われる請求項１０記載の生体試料用電気的測定装置。
【請求項１４】
前記第１測定部における測定と、前記第２測定部における測定とは、異なる周波数にて行われる請求項１０記載の生体試料用電気的測定装置。
【請求項１５】
沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、を少なくとも備える生体試料用電気的測定装置と、
前記第２測定部から得られる測定結果を用いて、前記第１測定部から得られる測定結果の補正を行う補正部を少なくとも備える解析装置と、
を少なくとも含む生体試料用電気的測定システム。
【請求項１６】
前記生体試料用電気的測定装置と、前記解析装置とは、ネットワークを介して接続されている請求項１５記載の生体試料用電気的測定システム。
【請求項１７】
沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジを用いて、
前記生体試料の電気的特性を測定する生体試料用電気的測定方法。
【請求項１８】
前記測定電極部に対して電圧を印加する第１印加工程と、
前記沈降測定電極部に対して電圧を印加する第２印加工程と、
前記測定電極部から得られる電気的特性を測定する第１測定工程と、
前記沈降測定電極部から得られる電気的特性を測定する第２測定工程と、
を少なくとも行う請求項１７記載の生体試料用電気的測定方法。
【発明の詳細な説明】
【技術分野】
【０００１】
本技術は、沈降性成分を含有する液体状の生体試料の電気的特性測定のための電気的測定用カートリッジに関する。より詳しくは、測定精度を向上し得る構造を備えた沈降性成分を含有する液体状の生体試料の電気的測定用カートリッジ、該電気的測定用カートリッジを用いた生体試料用電気的測定装置、生体試料用電気的測定システム及び生体試料用電気的測定方法に関する。
【背景技術】
【０００２】
生体試料の電気的特性を測定し、その測定結果から生体試料の物性を判定したり、生体試料に含まれる細胞等の種類を判別したりすることが行われている（例えば、特許文献１参照）。測定される電気的特性としては、複素誘電率やその周波数分散（誘電スペクトル）が挙げられる。複素誘電率やその周波数分散は、一般に、溶液に対して電圧を印加するための電極を備えた溶液保持器等を用いて電極間の複素キャパシタンスないし複素インピーダンスを測定することで算出される。
【０００３】
また、例えば、特許文献２には、血液の誘電率から血液凝固に関する情報を取得する技術が開示されており、「一対の電極と、上記一対の電極に対して交番電圧を所定の時間間隔で印加する印加手段と、上記一対の電極間に配される血液の誘電率を測定する測定手段と、血液に働いている抗凝固剤作用が解かれた以後から上記時間間隔で測定される血液の誘電率を用いて、血液凝固系の働きの程度を解析する解析手段と、を有する血液凝固系解析装置」が記載されている。
【０００４】
生体試料の電気的特性を測定する際に、生体試料が収容されるための容器としては、例えば、特許文献３に、絶縁性材料を筒状体に形成してなり、両端の開口から内空にそれぞれ挿入される電極の表面と、内空表面と、で構成される領域に生体試料を保持可能であり、前記領域には、対向する２つの電極の間に位置して、内空が狭窄された狭窄部が設けられた生体試料の電気的特性測定のためのサンプルカートリッジが開示されている。
【０００５】
ここで、従来、沈降性成分を含有する液体状の生体試料の電気的特性を測定する際に、経時的な沈降性成分の沈降が測定結果に影響を与えることにより、測定精度が低下するという問題が知られていた。
【０００６】
例えば、生体試料として血液を選択し、特許文献３に開示されたサンプルカートリッジを用いて測定を行なった場合において、血液の凝集・凝固プロセスの直接的影響と、それに付随して起こる血沈速度の変化の影響とを切り分けることが困難となる。なぜならば、該サンプルカートリッジは、一対の血液凝固測定用の電極しか備えておらず、また、疾病によっては血液凝固と血沈速度との間に強い相関関係が存在することから、得られた測定結果が血液凝固度合いを反映しているのか或いは沈降速度を反映しているのか、判断することが極めて困難であるからである。
【０００７】
更に、生体試料として血液を選択し、血沈計を用いて測定を行なった場合においても、血沈速度の変化から血液の凝集・凝固状態を推定することは可能であるが、ストークス式や経験式などの単一モデルに依存する推定であるため精度が低く、定性的な情報が得られるに過ぎない。
【先行技術文献】
【特許文献】
【０００８】
【特許文献１】特開２００９−０４２１４１号公報
【特許文献２】特開２０１０−１８１４００号公報
【特許文献３】特開２０１２−０５２９０６号公報
【発明の概要】
【発明が解決しようとする課題】
【０００９】
上述したように、従来技術では、沈降性成分を含有する液体状の生体試料の電気的特性を測定する際に、経時的な沈降性成分の沈降による測定結果への影響を排除することが困難であった。
【００１０】
そこで、本技術では、測定精度を向上し得る構造を備えた、沈降性成分を含有する液体状の生体試料の電気的測定用カートリッジを提供することを主目的とする。
【課題を解決するための手段】
【００１１】
本願発明者らは、前記課題を解決するために、電気的特性を測定する際に用いるカートリッジの構造について鋭意研究を行った結果、生体試料の状態を測定するための測定電極部と、沈降性成分の沈降の程度を測定する沈降測定電極部と、を備え、かつ、これらの電極部を異なる高さ位置に固定することで、測定精度を向上させることに成功し、本技術を完成するに至った。
【００１２】
即ち、本技術では、まず、沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジを提供する。
本技術において、前記測定電極部と前記沈降測定電極部とを、互いの電気力線が干渉しない程度に離間して固定することができる。
また、前記沈降測定電極部を、前記生体試料保持部の前記測定電極部より低い位置に固定することもできる。
更に、前記沈降測定電極部を、前記生体試料保持部の測定時に底部となる部分からの累積堆積分率が前記沈降性成分の体積分率以上となる位置より下側に位置させることもできる。
加えて、前記測定電極部を、前記生体試料保持部の測定時に底部となる部分からの累積堆積分率が前記沈降性成分の体積分率以上となる位置より上側に位置させることもできる。
本技術において、前記生体試料保持部の材料は特に限定されないが、樹脂により構成することができる。
更に、前記樹脂は特に限定されないが、ポリプロピレン、ポリスチレン、アクリル、及びポリサルホンから選ばれる一種以上の樹脂とすることができる。
本技術において、前記生体試料は特に限定されないが、血液試料とすることができる。
また、本技術に係る電気的測定用カートリッジは、血液凝固状態の測定用に用いることもできる。
【００１３】
本技術に係る電気的測定用カートリッジは、生体試料用電気的測定装置の一部として好適に用いることができる。
具体的には、沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、
を少なくとも備える生体試料用電気的測定装置を提供する。
また、本技術に係る生体試料用電気的測定装置は、前記第２測定部から得られる測定結果を用いて、前記第１測定部から得られる測定結果の補正を行う補正部を備えることができる。
更に、前記第２測定部から得られる測定結果を用いて、前記第１測定部から得られる測定結果の選別を行う結果選別部を備えることもできる。
加えて、前記第１測定部における測定と、前記第２測定部における測定とを、タイミングをずらして行うこともできる。
また、前記第１測定部における測定と、前記第２測定部における測定とを、異なる周波数にて行うこともできる。
【００１４】
本技術に係る電気的測定用カートリッジは、生体試料用電気的測定システムの一部として好適に用いることもできる。
具体的には、沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、を少なくとも備える生体試料用電気的測定装置と、
前記第２測定部から得られる測定結果を用いて、前記第１測定部から得られる測定結果の補正を行う補正部を少なくとも備える解析装置と、
を少なくとも含む生体試料用電気的測定システムを提供する。
また、本技術に係る生体試料用電気的測定システムにおいて、前記生体試料用電気的測定装置と、前記解析装置とを、ネットワークを介して接続させることができる。
【００１５】
また、本技術に係る電気的測定用カートリッジは、前記生体試料の電気的特定を測定する生体試料用電気的測定方法に好適に用いることもできる。
具体的には、沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジを用いて、
前記生体試料の電気的特性を測定する生体試料用電気的測定方法を提供する。
また、本技術に係る生体試料用電気的測定方法は、前記測定電極部に対して電圧を印加する第１印加工程と、
前記沈降測定電極部に対して電圧を印加する第２印加工程と、
前記測定電極部から得られる電気的特性を測定する第１測定工程と、
前記沈降測定電極部から得られる電気的特性を測定する第２測定工程と、
を更に少なくとも行うことができる。
【発明の効果】
【００１６】
本技術に係る電気的測定用カートリッジは、生体試料の状態を測定するための測定電極部と、沈降性成分の沈降の程度を測定する沈降測定電極部と、を備え、かつ、これらの電極部が異なる高さ位置に固定されているため、沈降性成分の沈降による測定結果への影響を排除することができ、測定精度を向上し得る。なお、ここに記載された効果は、必ずしも限定されるものではなく、本技術中に記載されたいずれかの効果であってもよい。
【図面の簡単な説明】
【００１７】
【図１】本技術に係る電気的測定用カートリッジ１の第１実施形態を模式的に示す端面模式図である。
【図２】本技術に係る電気的測定用カートリッジ１の第２実施形態を模式的に示す端面模式図である。
【図３】本技術に係る電気的測定用カートリッジ１の第３実施形態を模式的に示す端面模式図である。
【図４】Ａ〜Ｃは、経時的な沈降性成分の沈降の様子と測定電極部１２及び沈降測定電極部１３の位置との関係を模式的に示す端面模式図である。
【図５】本技術に係る電気的測定用カートリッジ１の第４実施形態を模式的に示す端面模式図である。
【図６】本技術に係る生体試料用電気的測定装置１０の第１実施形態を模式的に示す模式概念図である。
【図７】本技術に係る生体試料用電気的測定装置１０の第２実施形態を模式的に示す模式概念図である。
【図８】本技術に係る生体試料用電気的測定システム２０の第１実施形態を模式的に示す模式概念図である。
【図９】本技術に係る生体試料用電気的測定システム２０の第２実施形態を模式的に示す模式概念図である。
【図１０】本技術に係る生体試料用電気的測定用キットＫの第１実施形態を模式的に示す模式図である。
【発明を実施するための形態】
【００１８】
以下、本技術を実施するための好適な形態について図面を参照しながら説明する。なお、以下に説明する実施形態は、本技術の代表的な実施形態の一例を示したものであり、これにより本技術の範囲が狭く解釈されることはない。なお、説明は以下の順序で行う。
１．電気的測定用カートリッジ１
（１）生体試料保持部１１
（２）測定電極部１２
（３）沈降測定電極部１３
＜第１実施形態＞
＜第２実施形態＞
＜第３実施形態＞
＜第４実施形態＞
（４）沈降性成分を含有する液体状の生体試料Ｓ
（５）その他
２．生体試料用電気的測定装置１０
（１）カートリッジ保持部２
（２）第１印加部３１
（３）第２印加部３２
（４）第１測定部４１
（５）第２測定部４２
（６）補正部５
（７）結果選別部６
（８）その他
３．生体試料用電気的測定システム２０
（１）解析装置２０１
（２）サーバー２０２
（３）表示部２０３
（４）ユーザーインターフェース２０４
４．生体試料用電気的測定用キットＫ
（１）生体試料導入用部材８
５．生体試料用電気的測定方法
【００１９】
１．電気的測定用カートリッジ１
図１は、本技術に係る電気的測定用カートリッジ１の第１実施形態を模式的に示す端面模式図である。本技術に係る電気的測定用カートリッジ１は、沈降性成分を含有する液体状の生体試料Ｓの電気的特性を測定する際に、該生体試料Ｓを保持するために用いるカートリッジである。本技術に係る電気的測定用カートリッジ１は、大別して、生体試料保持部１１と、測定電極部１２と、沈降測定電極部１３と、を少なくとも備えることを特徴とする。以下、各部について詳細に説明する。なお、各図面において、説明上、生体試料Ｓを図示しているが、生体試料Ｓは、本技術に係る電気的測定用カートリッジ１には包含されない。
【００２０】
（１）生体試料保持部１１
本技術に係る電気的測定用カートリッジ１において、生体試料保持部１１は、測定対象である、沈降性成分を含有する液体状の生体試料Ｓを収容するために用いられる部位である。
【００２１】
本技術に係る電気的測定用カートリッジ１において、生体試料保持部１１の形態は特に限定されず、生体試料Ｓの種類や測定方法、用いる電気的測定装置などに応じて自由に設計することができる。例えば、円筒体、断面が多角（三角、四角或いはそれ以上）の多角筒体、円錐体、断面が多角（三角、四角或いはそれ以上）の多角錐体、或いはこれらを１種又は２種以上組み合わせた形態などが挙げられる。
【００２２】
本技術において、生体試料保持部１１は、少なくとも後述する測定電極部１２及び沈降測定電極部１３を配置する部分が平面状となるような形態を選択することが好ましい。その理由について、以下、詳細に説明する。
【００２３】
一般的に、電気的測定の際に用いられる電極は、平面状や板状の形態であることが多い。生体試料保持部１１において、円筒状の形態を選択した場合、湾曲した部分に、平面状や板状の測定電極部１２及び沈降測定電極部１３を取り付けることとなるため、製造工程が非常に煩雑となる。また、生体試料保持部１１の湾曲した部分に平面状や板状の測定電極部１２及び沈降測定電極部１３を取り付けると、生体試料保持部１１と測定電極部１２及び沈降測定電極部１３との接続部に段差が生じる可能性が高く、電気的測定の際の測定精度が低下する場合がある。したがって、生体試料保持部１１において、少なくとも測定電極部１２及び沈降測定電極部１３を配置する部分が平面状となるような形態を選択することで、電気的測定用カートリッジ１の製造工程の簡素化及び測定精度の向上を実現することが可能となる。
【００２４】
本技術において、生体試料Ｓは、生体試料保持部１１に保持された状態で、各種電気的特性の測定が行われる。そのため、生体試料保持部１１は、生体試料Ｓを保持した状態で密封可能な構成であることが好ましい。ただし、生体試料Ｓの各種電気的特性を測定するのに要する時間を停滞可能であって、測定に影響がなければ、密封可能な構成でなくてもよい。
【００２５】
生体試料保持部１１への生体試料Ｓの具体的な導入又は密閉方法は特に限定されず、生体試料保持部１１の形態に応じて自由な方法で導入又は密閉することが可能である。例えば、図示しないが、生体試料保持部１１にピペットなどを用いて導入する方法や、生体試料保持部１１の外表面から注射針を穿入し、生体試料Ｓを注入した後、注射針の貫通部分をグリスなどで塞ぐことで密閉する方法などが挙げられる。
【００２６】
本技術に係る生体試料保持部１１に用いることのできる材料は特に限定されないが、本技術では、樹脂を用いて生体試料保持部１１を形成することができる。
【００２７】
本技術に係る電気的測定用カートリッジ１において、生体試料保持部１１に用いることのできる樹脂の種類は特に限定されず、生体試料Ｓの保持に適用可能な樹脂を、１種又は２種以上自由に選択して用いることができる。例えば、ポリプロピレン、ポリメチルメタクリレート、ポリスチレン、アクリル、ポリサルホン、ポリテトラフルオロエチレンなどの疎水性かつ絶縁性のポリマーやコポリマー、ブレンドポリマーなどが挙げられる。本技術では、この中でも特に、ポリプロピレン、ポリスチレン、アクリル、及びポリサルホンから選ばれる一種以上の樹脂で生体試料保持部１１を形成することが好ましい。これらの樹脂は、血液に対して低凝固活性であるという性質を有するため、例えば、生体試料Ｓとして血液試料を選択した場合の測定などに好適に用いることができる。
【００２８】
（２）測定電極部１２
本技術に係る電気的測定用カートリッジ１において、測定電極部１２は、生体試料保持部１１に固定され、生体試料Ｓの状態を電気的に測定するための一対の電極からなることを特徴とする。測定電極部１２は、電気的測定時に生体試料Ｓと接触し、生体試料Ｓに必要な電圧を印加するために用いられる部位である。
【００２９】
（３）沈降測定電極部１３
本技術に係る電気的測定用カートリッジ１において、沈降測定電極部１３は、生体試料保持部１１の、測定電極部１２とは異なる高さ位置に固定され、沈降性成分の沈降の程度を電気的に測定するための一対の電極からなることを特徴とする。沈降測定電極部１３は、電気的測定時に生体試料Ｓと接触し、生体試料Ｓ中の沈降性成分に必要な電圧を印加するために用いられる部位である。
【００３０】
本技術に係る測定電極部１２及び沈降測定電極部１３は、電気伝導性の材料からなる。本技術に係る電気的測定用カートリッジ１において、測定電極部１２及び沈降測定電極部１３に用いられる電気伝導性材料の種類は特に限定されず、生体試料Ｓの電気的特性の測定に適用可能な材料を、１種又は２種以上自由に選択して用いることができる。例えば、チタン、アルミニウム、ステンレス、白金、金、銅、黒鉛などが挙げられる。本技術では、この中でも特に、チタンを含む電気伝導性素材で測定電極部１２及び／又は沈降測定電極部１３を形成することが好ましい。チタンは、血液に対して低凝固活性であるという性質を有するため、例えば、生体試料Ｓとして血液試料を選択した場合の測定などに好適に用いることができる。
【００３１】
以下、実施形態に基づいて、測定電極部１２及び沈降測定電極部１３について、更に詳細に説明する。
【００３２】
＜第１実施形態＞
図１に示す第１実施形態は、一対の測定電極部１２及び一対の沈降測定電極部１３を、生体試料保持部１１の内壁に沿うように固定し、更に、一対の沈降測定電極部１３を、生体試料保持部１１の内壁に固定された測定電極部１２よりも高い位置に、生体試料保持部１１の内壁に沿うように固定した例である。
【００３３】
本技術に係る電気的測定用カートリッジ１は、一対の測定電極部１２と一対の沈降測定電極部１３とを兼ね備えているため、一つのカートリッジで、測定対象とする電気的特性と、沈降性成分の沈降の程度を示す電気的特性とを、独立して測定することが可能である。例えば、生体試料Ｓとして血液を選択した場合には、測定電極部１２では血液凝固時間を、沈降測定電極部１３では血沈速度を、独立して測定することができる。更に、得られた測定結果に基づき、沈降性成分の沈降による測定結果への影響を排除し、測定対象とする電気的特性をより正確に測定することができる。その結果、電気的測定の際の測定精度を顕著に向上させることができる。
【００３４】
従来の方法として、沈降性成分の沈降の程度を、イメージャなどを用いて解析し、その解析結果に基づき、沈降性成分の沈降による測定結果への影響を排除する方法なども存在する。しかし、本技術に係る電気的測定用カートリッジ１を用いることで、前述したイメージャなどを用いることなく沈降性成分の沈降の程度を測定することができるため、電気的測定装置の小型化や装置の低価格化などの実現にも貢献できる。
【００３５】
＜第２実施形態＞
図２に示す第２実施形態は、一対の測定電極部１２及び一対の沈降測定電極部１３を、互いに電気力線（図２の矢印Ｙ参照）が干渉しない程度に離間して生体試料保持部１１の内壁に沿うように固定した例である。
【００３６】
本技術において、測定電極部１２と沈降測定電極部１３とは、図２に示す第２実施形態のように、互いに電気力線が干渉しない程度に離間して固定することが好ましい。これにより、測定電極部１２及び沈降測定電極部１３で測定される各種電気量が、相互に干渉することなく測定可能となり、測定精度を向上させることができる。
【００３７】
＜第３実施形態＞
図３に示す第３実施形態は、一対の測定電極部１２を生体試料保持部１１の内壁の一部を構成するように固定し、更に、一対の沈降測定電極部１３を、生体試料保持部１１の内壁に固定された測定電極部１２よりも低い位置に、生体試料保持部１１の内壁の一部を構成するように固定した例である。
【００３８】
本技術において、沈降測定電極部１３は、生体試料保持部１１の測定電極部１２より低い位置に固定することが好ましい。その理由について、以下、詳細に説明する。
【００３９】
第３実施形態に係る電気的測定用カートリッジ１を用いて電気的測定を開始した場合、生体試料Ｓ中の沈降性成分が時間の経過とともに徐々に沈降し、沈降測定電極部１３の電気力線密度の高い部分に干渉し始めると、沈降性成分の絶縁性ゆえに、沈降測定電極部１３間のインピーダンス、コンダクタンスなどの各種電気量も変化し始める。この各種電気量の変化を沈降測定電極部１３にて検出し、沈降測定電極部１３における測定結果を用いて、経時的な沈降性成分の沈降による測定結果への影響を排除することができる。その結果、電気的測定の際の測定精度が向上する。以下、更に詳細に説明する。
【００４０】
図４のＡ〜Ｃは、経時的な沈降性成分の沈降の様子と測定電極部１２及び沈降測定電極部１３の位置との関係を模式的に示す端面模式図である。Ａは測定開始時、Ｂは沈降プロセス進行中、Ｃは完全沈降時の状態をそれぞれ示している。健常成人の場合、全血は、体積割合４０％程度の赤血球を含む。赤血球は、静置条件下で沈降し、最終的には、図４のＣに示すように、電気的測定用カートリッジ１の下部に沈殿する。その一方で、上層部には主に血清が集合する。図４のＢに示すように、沈降プロセスが進行中は、大まかに、下方から赤血球沈殿層ａ、全血層ｂ、血清層ｃの３層が存在することとなる。
【００４１】
沈降測定電極部１３間のコンダクタンスの変化は、主に各時点における沈降性成分の堆積量を反映する。このコンダクタンスと沈降性成分の堆積量との関係は、例えば、生体試料Ｓとしてヒトの血液を選択した場合には、大きな個人差はなく、予め予測し、プロファイルを作成しておくことが可能である。したがって、そのプロファイルを用いて、沈降測定電極部１３間のコンダクタンスの経時的変化から沈降性成分の沈降の程度を測定し、ヒト全血層ｂの血球成分割合や相対位置を推定することができる。
【００４２】
また、沈降性成分の沈降の程度の測定結果から、血沈度合に依存しない凝固度合を算出することができる。或いは、血液の濃度・凝集度合も推定することができる。更に、測定電極部１２にて測定される誘電スペクトルのモデル選択をサポートすることも可能である。
【００４３】
したがって、本技術に係る電気的測定用カートリッジ１を用いることにより、経時的な沈降性成分の沈降による測定結果への影響を排除した、より正確な電気量を測定することが可能となる。その結果、電気的測定の際の測定精度を向上させることができる。
【００４４】
また、沈降測定電極部１３は、生体試料保持部１１の測定時に底部となる部分からの累積堆積分率が、沈降性成分の体積分率以上となる位置より下側に位置させることが好ましい。これにより、生体試料Ｓ中の沈降性成分の沈降が進行した場合においても、沈降測定電極部１３から発せられる電気力線の大部分が沈降性成分を貫くこととなる。したがって、経時的な変化に対応した、より正確な沈降性成分の沈降の程度を測定することが可能となる。
【００４５】
更に、測定電極部１２は、生体試料保持部１１の測定時に底部となる部分からの累積体積分率が沈降性成分の体積分率以上となる位置より上側に位置させることが好ましい。これにより、沈降性成分の半分がまだ沈降していない時間までは、測定電極部１２から発せられる電気力線の大部分が、経時的に堆積していく沈降性成分の堆積物と上清とを避け、継続して測定対象を通過することとなる。したがって、より正確な測定結果を得ることが可能となる。
【００４６】
なお、本技術に係る電気的測定用カートリッジ１において、測定電極部１２及び沈降測定電極部１３の配置、形態などは特に限定されず、生体試料Ｓに必要な電圧を印加することができれば、生体試料保持部１１の形態や測定方法、用いる電気的測定装置などに応じて適宜自由に設計することができる。本技術では、中でも特に、測定効率を向上させるために、図３の第３実施形態に示すように、生体試料保持部１１と測定電極部１２及び沈降測定電極部１３との接続箇所が、平面的に生体試料Ｓに接触することが好ましい。例えば、図１の第１実施形態に示すように、生体試料保持部１１の内側壁に段差があると、気泡などがその段差部分（図１の破線部分Ｘ参照）に留まってしまったり、段差部分に試薬濃度のムラができてしまったりして、測定値に悪影響を及ぼす可能性があるからである。したがって、第３実施形態のように生体試料保持部１１と測定電極部１２及び沈降測定電極部１３との接続箇所が平滑になるように一体成形することで、気泡や試料濃度ムラなどによる悪影響を排除し、電気的測定の際の測定精度を向上させることができる。
【００４７】
また、本技術に係る電気的測定用カートリッジ１は、一対以上の測定電極部１２及び／又は沈降測定電極部１３を備えることもできる。この場合、生体試料Ｓの電気的特性を測定する上で、各測定電極部１２及び／又は各沈降測定電極部１３を平行に配置することが好ましい。ただし、例えば、インサート成型などを行う場合の離型性などを考慮して、数度の傾きを持たせた状態で、各測定電極部１２及び／又は各沈降測定電極部１３を配置することもできる。
【００４８】
＜第４実施形態＞
図５に示す第４実施形態は、一対の測定電極部１２を、生体試料保持部１１に固定された部分の構造の一部に曲折する曲折部（図５の破線部分Ｚ参照）を備えるように設計し、更に、一対の沈降測定電極部１３を、生体試料保持部１１の底面に位置するように固定した例である。
【００４９】
本技術に係る電気的測定用カートリッジ１において、沈降測定電極部１３は、図３の第３実施形態に示すように、対向するように設計してもよいし、図５の第４実施形態に示すように、生体試料保持部１１の底面に位置するように設計してもよい。しかしながら、第３実施形態のように対向するように設計した方が、電気的測定の際の感度が良いため、測定精度を向上させることができる。
【００５０】
また、非常に稀ではあるが、樹脂と電気伝導性素材とのひずみの違いなどから、温度などの保管条件や測定条件によっては、生体試料保持部１１と、測定電極部１２及び／又は沈降測定電極部１３との境界部から生体試料Ｓが漏れ出す場合がある。そこで、図５の第４実施形態に示すように、前記曲折部を備えることにより、曲折部を備えない図３の第３実施形態と比べて、生体試料保持部１１と、測定電極部１２及び／又は沈降測定電極部１３との境界からの生体試料Ｓの漏れ出しを、より確実に防止することができる。
【００５１】
また、測定電極部１２及び／又は沈降測定電極部１３が、前記曲折部を備えることで、生体試料保持部１１と、測定電極部１２及び／又は沈降測定電極部１３との固定がより強固となり、頑丈な電気的測定用カートリッジ１を形成することができる。
【００５２】
（４）沈降性成分を含有する液体状の生体試料Ｓ
本技術で測定対象とすることが可能な、沈降性成分を含有する液体状の生体試料Ｓは特に限定されず、自由に選択することができる。例えば、全血、血漿、又はこれらの希釈液及び／又は薬剤添加物等の血液成分を含有する血液試料などが挙げられる。更に、生体試料Ｓとして血液試料を選択した場合には、本技術に係る電気的測定用カートリッジ１は、血液凝固状態の測定用などに用いることもできる。
【００５３】
（５）その他
本技術において、測定電極部１２及び沈降測定電極部１３を生体試料保持部１１に固定する方法は特に限定されないが、測定電極部１２及び／又は沈降測定電極部１３の一部を、生体試料保持部１１に埋入した状態で、生体試料保持部１１と測定電極部１２及び／又は沈降測定電極部１３とを一体成形する方法が好ましい。
【００５４】
例えば、接着剤を用いて測定電極部１２及び沈降測定電極部１３を、生体試料保持部１１に固定する場合、用いる接着剤の種類によっては、生体試料Ｓの性質に悪影響を及ぼす場合がある。例えば、生体試料Ｓとして血液を選択した場合、用いる接着剤の種類によっては、血液凝固活性が促進されてしまい、目的とする測定に悪影響を及ぼす。しかし、生体試料保持部１１と、測定電極部１２及び／又は沈降測定電極部１３とを一体成形する方法、即ち、生体試料保持部１１と、測定電極部１２及び／又は沈降測定電極部１３との固定に、接着剤などの固定材料を用いない方法をとることで、接着剤などの固定材料による生体試料Ｓへの悪影響を排除できる。その結果、電気的測定の際の測定精度の向上が実現する。
【００５５】
仮に、生体試料Ｓへの影響が少ない固定材料を用いた場合であっても、生体試料Ｓを収容するためのカートリッジを製造する際に、固定材料による接着工程が増えることから、生産性に劣るという問題がある。しかし、生体試料保持部１１と測定電極部１２及び／又は沈降測定電極部１３とを一体成形する方法をとることで、生体試料保持部１１の成形工程に加えて、接着工程を別途設ける必要がない。その結果、電気的測定用カートリッジ１の製造が容易となり、本技術に係る電気的測定用カートリッジ１を安価かつ大量に生産することができる。
【００５６】
従来の方法では、生体試料を収容したカートリッジに、外部から電極を挿入した状態で、電気的特性を測定する方法なども存在する。しかし、この方法では、電極の生体試料中への挿入量の違いにより、測定誤差が生じるという問題がある。しかし、生体試料保持部１１に予め測定電極部１２及び／又は沈降測定電極部１３を固定しておくことで、電極の生体試料中への挿入量の違いによる測定誤差をなくすことができる。そのため、電気的測定の際の測定精度が向上する。
【００５７】
更に、装置側に電極と生体試料を収容したカートリッジとの相対的位置決め機構などを設置する必要がなく、装置側の構成も簡易化することができる。そのため、電気的測定装置の小型化や装置の低価格化、電気的測定用カートリッジ１の製造工程の簡易化などの実現にも貢献できる。
【００５８】
本技術において、生体試料保持部１１と、測定電極部１２及び／又は沈降測定電極部１３とを一体成形する具体的な方法は特に限定されず、自由な方法を用いることができる。例えば、生体試保持部１１を樹脂により形成した場合、樹脂が溶融状態から固化する際に、測定電極部１２及び／又は沈降測定電極部１３を所定位置に配置することで、生体試料保持部１１と測定電極部１２及び／又は沈降測定電極部１３とを一体成形することができる。より具体的には、金型内に測定電極部１２及び／又は沈降測定電極部１３を挿入し、その周りに樹脂を注入して測定電極部１２及び／又は沈降測定電極部１３と、樹脂とを一体化する、所謂、インサート成型により、生体試料保持部１１と、測定電極部１２及び／又は沈降測定電極部１３とを一体成形する方法などが挙げられる。
【００５９】
このように、生体試料保持部１１の成形を行う際に、同時に測定電極部１２及び／又は沈降測定電極部１３を固定することで、電気的測定用カートリッジ１の製造工程の簡易化を図ることができる。したがって、本技術に係る電気的測定用カートリッジ１を安価かつ大量に生産することができる。
【００６０】
また、本技術に係る電気的測定用カートリッジ１は、前述したように、安価かつ大量に生産することが可能である。この特徴を利用して、例えば、本技術に係る電気的測定用カートリッジ１を使い捨てにすることも可能である。本技術に係る電気的測定用カートリッジ１を使い捨てにすることで、カートリッジの洗浄などの手間を省くことができ、測定の効率化を図ることができる。また、カートリッジ内に残留した別の生体試料Ｓによる測定誤差などの発生を防止でき、電気的測定の際の測定精度の向上が実現する。
【００６１】
２．生体試料用電気的測定装置１０
図６は、本技術に係る生体試料用電気的測定装置１０の第１実施形態を模式的に示す模式概念図である。本実施形態では、前述した第３実施形態に係る電気的測定用カートリッジ１を用いている。本技術に係る生体試料用電気的測定装置１０は、大別して、前述した電気的測定用カートリッジ１と、カートリッジ保持部２と、第１印加部３１と、第２印加部３２、第１測定部４１と、第２測定部４２と、を少なくとも備えることを特徴とする。以下、各部について詳細に説明する。なお、電気的測定用カートリッジ１は、前述したものと同様であるため、ここでは説明を割愛する。
【００６２】
（１）カートリッジ保持部２
カートリッジ保持部２は、本技術に係る電気的測定用カートリッジ１を保持する部位である。カートリッジ保持部２は、電気的測定用カートリッジ１の形態などに応じて適宜自由に設計することができる。
【００６３】
また、カートリッジ保持部２は、温度調節機構を備えることも可能である。温度調節機構とは、生体試料保持部１１に保持された生体試料Ｓの温度を一定に保つことができる機構である。具体的には、カートリッジ保持部２を保温可能な材料で形成することで、本技術に係る電気的測定用カートリッジ１が生体試料用電気的測定装置１０に保持された状態で、生体試料Ｓの温度が一定となるようにする方法などが挙げられる。
【００６４】
（２）第１印加部３１
第１印加部３１は、本技術に係る電気的測定用カートリッジ１の測定電極部１２に電圧を印加する部位である。具体的には、第１印加部３１は、測定を開始すべき命令を受けた時点又は生体試料用電気的測定装置１０の電源が投入された時点を開始時点とし、電気的測定用カートリッジ１の測定電極部１２に電圧を印加する。この場合、第１印加部３１は、設定される測定間隔ごとに、測定電極部１２に対し、所定の周波数の交流電圧を印加する。なお、第１印加部３１が印加する電圧は、測定する電気的特性に応じて直流電圧とすることも可能である。
【００６５】
（３）第２印加部３２
第２印加部３２は、本技術に係る電気的測定用カートリッジ１の沈降測定電極部１３に電圧を印加する部位である。具体的な電圧の印加方法などは、第１印加部３１と同様であるため、ここでは説明を割愛する。
【００６６】
なお、本技術に係る生体試料用電気的測定装置１０を、第１印加部３１及び第２印加部３２の役割を一つの印加部で担うことができるよう、設計することも可能である。
【００６７】
（４）第１測定部４１
第１測定部４１は、測定電極部１２から得られた電気的特性を測定する部位である。具体的には、測定を開始すべき命令を受けた時点又は生体試料用電気的測定装置１０の電源が投入された時点を開始時点として、複素誘電率（以下、単に「誘電率」ともいう）やその周波数分散などの電気的特性を測定する。例えば、誘電率が測定される場合、第１測定部４１は、電気的測定用カートリッジ１の測定電極部１２間における電流又はインピーダンスを所定周期で測定し、当該測定値から誘電率を導出する。この誘電率の導出には、電流又はインピーダンスと誘電率との関係を示す既知の関数や関係式を用いることができる。
【００６８】
（５）第２測定部４２
第２測定部４２は、沈降測定電極部１３から得られた電気的特性を測定する部位である。具体的な電気的特性の測定方法などは、第１測定部４１と同様であるため、ここでは説明を割愛する。
【００６９】
なお、本技術に係る生体試料用電気的測定装置１０を、第１測定部４１及び第２測定部４２の役割を一つの測定部で担うことができるよう、設計することも可能である。
【００７０】
（６）補正部５
本技術に係る生体試料用電気的測定装置１０は、図７の第２実施形態に示すように、必要に応じて補正部５を備えることもできる。補正部５は、第２測定部４２から得られる測定結果を用いて、第１測定部４１から得られる測定結果の補正を行う部位である。具体的には、第２測定部４２から得られる、沈降性成分の沈降の程度を示した測定結果に基づき、第１測定部４１から得られる測定結果を、沈降性成分の沈降による影響を排除した値に補正する。これにより、沈降性成分の沈降によるアーチファクトを低減させることができ、電気的測定の際の測定精度を向上できる。
【００７１】
（７）結果選別部６
また、本技術に係る生体試料用電気的測定装置１０は、図７の第２実施形態に示すように、必要に応じて結果選別部６を備えることもできる。結果選別部６は、第２測定部４２から得られる測定結果を用いて、第１測定部４１から得られる測定結果の選別を行う部位である。具体的には、第２測定部４２から得られる、沈降性成分の沈降の程度を示した測定結果に基づき、第１測定部４１から得られる測定結果を選別する。例えば、基準値に適合しない測定結果に対してアラートを出す方法や、必要に応じて測定結果を削除する方法などが挙げられる。これにより、使用者の利便性が向上するとともに、電気的測定の際の測定精度も向上する。
【００７２】
（８）その他
本技術に係る生体試料用電気的測定装置１０において、第１測定部４１における測定と、第２測定部４２における測定とは、タイミングをずらして行うことができる。具体的には、例えば、まず第１測定部４１における測定を開始し、次に第２測定部４２における測定を開始する。これにより、測定電極部１２と沈降測定電極部１３との電気力線が互いに干渉し合うことが無くなるため、電気的測定の際の測定精度を向上させることができる。
【００７３】
また、本技術に係る生体試料用電気的測定装置１０において、第１測定部４１における測定と、第２測定部４２における測定とを、異なる周波数にて行うことができる。これにより、電気的測定を効率的かつ迅速に行うことができ、測定精度の向上も実現する。その理由について、以下、詳細に説明する。
【００７４】
生体試料Ｓとして血液試料を選択した場合を想定して説明する。例えば、第１測定部４１にて血液凝固（凝血）の程度を測定する場合、第１測定部４１の好ましい周波数の範囲は、３ＭＨｚ〜１５ＭＨｚである。また、この場合、第２測定部４２にて血沈の程度を測定することとなるが、第２測定部４２の好ましい周波数の範囲は、１００ｋＨｚ〜４０ＭＨｚである。したがって、例えば、第１測定部４１の周波数を１５ＭＨｚに設定し、第２測定部４２の周波数を１００ｋＨｚに設定することにより、両測定部間の周波数が近接することによる両測定部への影響を排除し、測定結果への誤差を低減することができる。その結果、電気的測定の際の測定精度が向上する。また、第１測定部４１における測定と、第２測定部４２における測定とを同時に行うことができるため、電気的測定を効率的かつ迅速に行うことも可能となる。
【００７５】
更に、本技術に係る生体試料用測定装置１０は、図示しないが、フィードバック制御機構を備えることも可能である。フィードバック制御機構とは、第２測定部４２における測定結果を用いて、第１測定部４１の測定条件をより適切な測定条件に変更できる機構である。具体的には、第２測定部４２から得られる、沈降性成分の沈降の程度を示した測定結果に基づき、第１測定部４１の測定条件を、沈降性成分の沈降による影響を排除した、より適切な測定条件に変更する。これにより、電気的測定の際の使用者の利便性が向上し、測定精度の向上も実現する。
【００７６】
加えて、本技術に係る生体試料用測定装置１０は、本技術に係る電気的測定用カートリッジ１の位置決め機構を備えることも可能である。電気的測定用カートリッジ１の位置を正確に設定することによって、測定電極部１２と第１印加部３１、沈降測定電極部１３と第２印加部３２、との接触位置なども正確となり、使用者の利便性及び測定精度の向上が実現する。具体的には、電気的測定用カートリッジ１を生体試料用電気的測定装置１０に対して高さ方向に位置決めするような位置決めピンを設計する方法などが挙げられる。
【００７７】
また、生体試料用電気的測定装置１０は、図７の第２実施形態に示すように、第１測定部４１及び第２測定部４２から導出された生体試料Ｓの電気的特性データを受けて、生体試料Ｓの物性の判定などを行う解析部７を備えることも可能である。
【００７８】
具体的には、解析部７には、第１測定部４１及び第２測定部４２から導出された生体試料Ｓの電気的特性データが測定間隔ごとに与えられ、解析部７は、第１測定部４１及び第２測定部４２から与えられる電気的特性データを受けて、生体試料Ｓの物性判定などを開始する。また、解析部７は、生体試料Ｓの物性判定などの結果及び／又は誘電率データを通知する。この通知は、例えば、グラフ化してモニタに表示又は所定の媒体に印刷することにより行うことができる。
【００７９】
３．生体試料用電気的測定システム２０
図８は、本技術に係る生体試料用電気的測定システム２０の第１実施形態を模式的に示す模式概念図である。本実施形態では、前述した第３実施形態に係る電気的測定用カートリッジ１及び第１実施形態に係る生体試料用測定装置１０を用いている。本技術に係る生体試料用電気的測定システム２０は、大別して、前述した生体試料用測定装置１０と、解析装置２０１と、を少なくとも備えることを特徴とする。また、必要に応じて、図９の第２実施形態に示すように、サーバー２０２、表示部２０３、ユーザーインターフェース２０４などを備えることもできる。以下、各部について詳細に説明する。なお、生体試料用測定装置１０は、前述したものと同様であるため、ここでは説明を割愛する。
【００８０】
（１）解析装置２０１
本技術に係る解析装置２０１は、補正部５を少なくとも備えることを特徴とする。すなわち、本技術に係る生体試料用電気的測定システム２０は、前述した補正部５が、生体試料用測定装置１０の外部にある構造を想定している。これにより、生体試料用測定装置１０から離れた場所においても、第２測定部４２から得られる、沈降性成分の沈降の程度を示した測定結果に基づき、第１測定部４１から得られる測定結果を、沈降性成分の沈降による影響を排除した値に補正できる。したがって、電気的測定の際の使用者の利便性が向上し、測定精度の向上も実現する。なお、補正部５は、前述したものと同様であるため、ここでは説明を割愛する。
【００８１】
また、解析装置２０１は、前述した結果選別部６や、解析部７を更に備えることも可能である。
【００８２】
本技術に係る生体試料用電気的測定システム２０において、生体試料用電気的測定装置１０と、解析装置２０１とは、ネットワークを介して接続することが可能である。これにより、遠隔操作が可能となるため、使用者の利便性が向上する。
【００８３】
（２）サーバー２０２
サーバー２０２は、生体試料用測定装置１０での測定結果及び／又は解析装置２０１での解析結果を記憶する記憶部を備えることを特徴とする。サーバー２０２は、生体試料用測定装置１０や解析装置２０１毎に、複数設けることも可能であるが、一つのサーバー２０２に、全ての結果を記憶することも可能である。
【００８４】
（３）表示部２０３
表示部２０３は、生体試料用測定装置１０での測定結果、解析装置２０１での解析結果などを表示する部位である。表示部２０３は、表示するデータや結果毎に、複数設けることも可能であるが、一つの表示部２０３に、全てのデータや結果を表示することも可能である。
【００８５】
（４）ユーザーインターフェース２０４
ユーザーインターフェース２０４は、ユーザーが操作するための部位である。ユーザーは、ユーザーインターフェース２０４を通じて、本技術に係る生体試料用電気的測定システム２０の各部にアクセスすることができる。
【００８６】
本技術に係る生体試料用電気的測定システム２０において、サーバー２０２、表示部２０３及びユーザーインターフェース２０４も、解析装置２０１と同様に、生体試料用電気的測定装置１０と、ネットワークを介して接続することが可能である。これにより、遠隔操作が可能となるため、使用者の利便性が向上する。
【００８７】
４．生体試料用電気的測定用キットＫ
図１０は、本技術に係る電気的測定用キットＫの第１実施形態を模式的に示す模式図である。本実施形態では、前述した第３実施形態に係る電気的測定用カートリッジ１を用いている。本技術に係る電気的測定用キットＫは、大別して、前述した電気的測定用カートリッジ１と、生体試料導入用部材８と、を少なくとも有する。以下、詳細に説明する。なお、電気的測定用カートリッジ１は、前述したものと同様であるため、ここでは説明を割愛する。
【００８８】
（１）生体試料導入用部材８
生体試料導入用部材８は、生体試料Ｓを生体試料保持部１１へ導入するための部材である。例えば、図１０の第１実施形態に示すように、ピペット状のチップ８１などを挙げることができる。より具体的には、前述した生体試料用電気的測定装置１０に吸引機構（例えば、ピペッターなど）を備えておき、該吸引機構にチップ８１を取り付けて、生体試料Ｓの導入を行うことができる。
【００８９】
本技術に係る生体試料導入用部材８は、図１０で例示したピペット状のチップ８１に限定されず、生体試料Ｓを生体試料保持部１１へ導入することができる器材の全部又は一部であれば、生体試料Ｓの種類や測定方法、用いる電気的測定装置などに応じて自由に選択することができる。例えば、ピペット状のチップ８１以外にも、注射針などを挙げることができる。
【００９０】
生体試料導入用部材８は、電気的測定用カートリッジ１と同様に、使い捨てにすることも可能である。生体試料導入用部材８を使い捨てにすることで、生体試料Ｓの導入に用いる器具の洗浄などの手間を省くことができ、使用者の利便性の向上及び電気的特性測定の効率化を図ることができる。また、生体試料導入に用いる器具内に残った別の生体試料Ｓによる測定誤差などの発生を防止でき、電気的測定の際の測定精度の向上も実現する。
【００９１】
５．生体試料用電気的測定方法
本技術に係る電気的測定用カートリッジ１は、生体試料Ｓの電気的特性の測定に、好適に用いることができる。本技術に係る生体試料用電気的測定方法において、測定可能な電気的特性は特に限定されず、測定対象となる生体試料Ｓの種類や、解析すべき物性などに応じて自由に測定することができる。例えば、誘電率やインピーダンスなどを測定することができる。
【００９２】
本技術に係る生体試料用電気的測定方法を用いることにより、例えば、生体試料Ｓとして血液を選択した場合、誘電率やインピーダンスの測定値から、血液凝固状況や血沈状況を解析することができる。より具体的には、解析期間内に受け取った複数の誘電率及び／又はインピーダンスの測定値からそれぞれの特徴を示すパラメータを抽出し、このパラメータと、血液凝固能の亢進や血沈プロセス進行の基準を定める基準値との比較に基づき、血液凝固状況や血沈状況を解析することができる。その結果、電気的測定の際の測定精度の向上が実現する。
【００９３】
更に、本技術に係る生体試料用電気的測定方法は、測定電極部１２に対して電圧を印加する第１印加工程と、沈降測定電極部１３に対して電圧を印加する第２印加工程と、測定電極部１２から得られる電気的特性を測定する第１測定工程と、沈降測定電極部１３から得られる電気的特性を測定する第２測定工程と、更に行うこともできる。これにより、例えば生体試料Ｓとして血液を選択した場合、第２測定工程では血沈速度を、第１測定工程では血液凝固の時間を測定することが可能となる。したがって、第２測定工程から得られる測定結果に基づき、第１測定工程から得られる測定結果を補正することなどが可能となる。その結果、電気的測定の際の測定精度を、更に向上させることができる。
【００９４】
なお、本技術は、以下のような構成も取ることができる。
（１）沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジ。
（２）前記測定電極部と前記沈降測定電極部とは、互いの電気力線が干渉しない程度に離間して固定された（１）記載の電気的測定用カートリッジ。
（３）前記沈降測定電極部は、前記生体試料保持部の前記測定電極部より低い位置に固定された（１）又は（２）に記載の電気的測定用カートリッジ。
（４）前記沈降測定電極部は、前記生体試料保持部の測定時に底部となる部分からの累積堆積分率が前記沈降性成分の体積分率以上となる位置より下側に位置する（３）記載の電気的測定用カートリッジ。
（５）前記測定電極部は、前記生体試料保持部の測定時に底部となる部分からの累積堆積分率が前記沈降性成分の体積分率以上となる位置より上側に位置する（１）から（４）のいずれかに記載の電気的測定用カートリッジ。
（６）前記生体試料保持部は、樹脂からなる（１）から（５）のいずれかに記載の電気的測定用カートリッジ。
（７）前記樹脂は、ポリプロピレン、ポリスチレン、アクリル、及びポリサルホンから選ばれる一種以上の樹脂である（６）記載の電気的測定用カートリッジ。
（８）前記生体試料は、血液試料である（１）から（７）のいずれかに記載の電気的測定用カートリッジ。
（９）血液凝固状態の測定用に用いられる（８）記載の電気的測定用カートリッジ。
（１０）沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、
を少なくとも備える生体試料用電気的測定装置。
（１１）前記第２測定部から得られる測定結果を用いて、前記第１測定部から得られる測定結果の補正を行う補正部を備える（１０）記載の生体試料用電気的測定装置。
（１２）前記第２測定部から得られる測定結果を用いて、前記第１測定部から得られる測定結果の選別を行う結果選別部を備える（１０）又は（１１）に記載の生体試料用電気的測定装置。
（１３）前記第１測定部における測定と、前記第２測定部における測定とは、タイミングをずらして行われる（１０）から（１２）のいずれかに記載の生体試料用電気的測定装置。
（１４）前記第１測定部における測定と、前記第２測定部における測定とは、異なる周波数にて行われる（１０）から（１３）のいずれかに記載の生体試料用電気的測定装置。
（１５）沈降性成分を含有する液体状の生体試料を収容するための生体試料保持部と、該生体試料保持部に固定され、前記生体試料の状態を電気的に測定するための一対の電極からなる測定電極部と、前記生体試料保持部の前記測定電極部とは異なる高さ位置に固定され、前記沈降性成分の沈降の程度を電気的に測定するための一対の電極からなる沈降測定電極部と、を少なくとも備える電気的測定用カートリッジを保持するためのカートリッジ保持部と、
前記測定電極部に対して電圧を印加する第１印加部と、
前記沈降測定電極部に対して電圧を印加する第２印加部と、
前記測定電極部から得られる電気的特性を測定する第１測定部と、
前記沈降測定電極部から得られる電気的特性を測定する第２測定部と、を少なくとも備える生体試料用電気的測定装置と、
前記第２測定部から得られる測定結果を用いて、前記第１測定部から得られる測定結果の補正を行う補正部を少なくとも備える解析装置と、
を少なくとも含む生体試料用電気的測定システム。
（１６）前記生体試料用電気的測定装置と、前記解析装置とは、ネットワークを介して接続されている（１５）記載の生体試料用電気的測定システム。
（１７）沈降性成分を含有する液体状の生体試料を収容するための生体試料保持部と、
該生体試料保持部に固定され、前記生体試料の状態を電気的に測定するための一対の電極からなる測定電極部と、
前記生体試料保持部の前記測定電極部とは異なる高さ位置に固定され、前記沈降性成分の沈降の程度を電気的に測定するための一対の電極からなる沈降測定電極部と、
を少なくとも備える電気的測定用カートリッジを用いて、
前記生体試料の電気的特性を測定する生体試料用電気的測定方法。
（１８）前記測定電極部に対して電圧を印加する第１印加工程と、
前記沈降測定電極部に対して電圧を印加する第２印加工程と、
前記測定電極部から得られる電気的特性を測定する第１測定工程と、
前記沈降測定電極部から得られる電気的特性を測定する第２測定工程と、
を少なくとも行う（１７）記載の生体試料用電気的測定方法。
【符号の説明】
【００９５】
１：電気的測定用カートリッジ
１１：生体試料保持部
１２：測定電極部
１３：沈降測定電極部
１０：生体試料用電気的測定装置
２：カートリッジ保持部
３１：第１印加部
３２：第２印加部
４１：第１測定部
４２：第２測定部
５：補正部
６：結果選別部
７：解析部
２０：生体試料用電気的測定システム
２０１：解析装置
２０２：サーバー
２０３：表示部
２０４：ユーザーインターフェース
Ｓ：沈降性成分を含有する液体状の生体試料
Ｋ：生体試料用電気的測定用キット
８：生体試料導入用部材
８１：ピペット状のチップ
【図１】
2016024161.tif 000003
【図２】
2016024161.tif 000004
【図３】
2016024161.tif 000005
【図４】
2016024161.tif 000006
【図５】
2016024161.tif 000007
【図６】
2016024161.tif 000008
【図７】
2016024161.tif 000009
【図８】
2016024161.tif 000010
【図９】
2016024161.tif 000011
【図１０】
2016024161.tif 000012